(57)【特許請求の範囲】
【請求項１】
ナースコール親機での操作により廊下灯の待機画面を変更できるように成されたナースコールシステムであって、
患者の氏名および当該患者が入室している病室の部屋番号を含む患者情報を記憶する患者情報記憶部と、
上記廊下灯に表示可能な複数の画像を記憶するとともに、どの病室の廊下灯にどの画像を表示させるかの設定情報を記憶する画像情報記憶部と、
上記患者情報記憶部および上記画像情報記憶部を参照して、各患者の氏名を病室毎にレイアウトして表すとともに、病室毎に上記設定情報により設定されている画像を設定済みサムネイル画像として上記レイアウト上に表した運用画面を上記ナースコール親機のディスプレイに表示させる表示制御部と、
上記運用画面上において病室毎に表示された複数の設定済みサムネイル画像の中から任意の病室の設定済みサムネイル画像を選択する操作を受け付ける操作受付部とを備え、
上記表示制御部は、上記操作受付部が上記設定済みサムネイル画像を選択する操作を受け付けたときに、上記画像情報記憶部に記憶されている上記廊下灯に表示可能な複数の画像を選択用サムネイル画像の一覧で表した表示データ選択画面に上記運用画面から遷移させるように制御することを特徴とするナースコールシステム。
【請求項２】
上記操作受付部は、上記表示データ選択画面上で任意の選択用サムネイル画像を選択する操作を更に受け付け、
上記操作受付部が上記選択用サムネイル画像を選択する操作を受け付けたときに、当該操作により選択された選択用サムネイル画像に対応する画像を、上記操作受付部が上記設定済みサムネイル画像の選択操作を受け付けた病室に関する上記廊下灯の新たな表示用画像として設定し、上記画像情報記憶部に記憶されている上記設定情報を書き換える設定変更部を更に備えたことを特徴とする請求項１に記載のナースコールシステム。
【請求項３】
上記操作受付部が上記選択用サムネイル画像を選択する操作を受け付けたときに、上記表示制御部は、上記表示データ選択画面から上記運用画面に遷移させ、遷移させた上記運用画面上において、上記操作受付部が上記設定済みサムネイル画像の選択操作を受け付けた病室について、上記新たな表示用画像を上記設定済みサムネイル画像として表示させるように制御することを特徴とする請求項２に記載のナースコールシステム。
【請求項４】
上記操作受付部が上記選択用サムネイル画像を選択する操作を受け付けたときに、上記表示制御部は、上記設定変更部により設定された上記新たな表示用画像を、上記操作受付部が上記設定済みサムネイル画像の選択操作を受け付けた病室の廊下灯に送信して表示させることにより、上記廊下灯の待機画面を変更するように制御することを特徴とする請求項２または３に記載のナースコールシステム。
【発明の詳細な説明】
【技術分野】
【０００１】
本発明はナースコールシステムに関し、特に、ディスプレイ表示が可能な廊下灯を備えたナースコールシステムに用いて好適なものである。
【背景技術】
【０００２】
一般に、病院や介護施設などで用いられるナースコールシステムは、ベッドサイドなどに設置するナースコール子機と、ナースセンタに設置するナースコール親機と、病室の入口付近に設置する廊下灯とを備えて構成されている。廊下灯には液晶ディスプレイを備えたものも存在し、このような廊下灯は、ナースコール子機から呼び出しが行われた場合に、呼び出しを行った患者の氏名等の患者情報が表示されるようになっている。
【０００３】
廊下灯に表示される患者情報は、ナースセンタ内のナースコール親機から伝送路を介して送られるようになっている。また、多くのナースコールシステムでは、患者のプライバシー保護のため、呼び出しがない間は廊下灯に患者の氏名等を表示せず、呼び出しがあったときにのみ患者の氏名等を表示するようになっている（例えば、特許文献１〜３参照）。
【０００４】
なお、特許文献１に記載の技術では、呼び出しがあったときに廊下灯に表示させる患者情報の項目を遠隔のデータベース装置から設定できるようになされている。また、特許文献２に記載の技術では、廊下灯の液晶表示部に表示させる患者の氏名等の表示情報を遠隔のナースコール親機にて変更できるようになされている。また、特許文献３に記載の技術では、待受時に待機画面として廊下灯に表示させる画像もナースコール親機にて変更することができるようになされている。
【先行技術文献】
【特許文献】
【０００５】
【特許文献１】特開２００５−３４９０４１号公報
【特許文献２】特開２００６−２１０２９号公報
【特許文献３】特開２００４−１０４６９１号公報
【発明の概要】
【発明が解決しようとする課題】
【０００６】
しかしながら、従来のナースコールシステムでは、待受時に待機画面として廊下灯に表示される画像をナースコール親機等にて変更する場合に、階層メニューを辿って多くの操作をしなければならないという不便があった。
【０００７】
例えば、ナースコール親機のベッド画面において上部に表示されている「その他」のボタンを押下してメニュー画面を表示させた後、当該メニュー画面上で「システム管理」のボタンを押下してシステム管理画面を表示させる。さらに、当該システム管理画面上で「環境設定」のボタンを押下して環境設定メニュー画面を表示させた後、当該環境設定メニュー画面上で「廊下灯表示設定」のボタンを押下して廊下灯表示設定画面を表示させる。そして、当該廊下灯表示設定画面上で、廊下灯の待機画面を変更したい病室の部屋番号を押下する。
【０００８】
ユーザがこのような複数回の操作を行うことにより、複数のサムネイル画像を含む表示データ選択画面が表示されるので、その中から所望のサムネイル画像を選択する。所望のサムネイル画像を選択すると、自動的に廊下灯表示設定画面に戻る。このとき、選択したサムネイル画像が廊下灯表示設定画面の該当する部屋番号の位置に表示されている。この状態で、「決定」ボタンを押下すると、選択されたサムネイル画像に対応する画像データが廊下灯に送信され、廊下灯の待機画面が更新される。
【０００９】
このように、従来のナースコールシステムでは、サムネイル画像の一覧で表した表示データ選択画面に辿り付くまでに、ユーザが階層メニューを辿って多くの操作をしなければならず、廊下灯の待機画面を変更する際の操作に手間がかかるという問題があった。
【００１０】
本発明は、このような問題を解決するために成されたものであり、ナースコール親機にて廊下灯の待機画面を変更する際の操作数を少なくして、廊下灯の待機画面の変更を簡単に行えるようにすることを目的とする。
【課題を解決するための手段】
【００１１】
上記した課題を解決するために、本発明では、各患者の氏名を病室毎にレイアウトして表すとともに、病室毎に廊下灯の表示用画像として設定されている画像を設定済みサムネイル画像としてレイアウト上に表した運用画面をナースコール親機のディスプレイに表示させる。そして、当該運用画面上において任意の病室の設定済みサムネイル画像を選択する操作が行われたときに、複数の選択用サムネイル画像を一覧で表した表示データ選択画面に運用画面から遷移させるようにしている。
【発明の効果】
【００１２】
上記のように構成した本発明によれば、廊下灯の待機画面をナースコール親機にて変更しようとする場合に、ナースコール親機の運用画面上において任意の病室の設定済みサムネイル画像を選択する操作を行うだけで、運用画面から表示データ選択画面にダイレクトに遷移させることができる。これにより、表示データ選択画面に辿り付くまでに階層メニューを辿って多くの操作をする必要がなく、廊下灯の待機画面の変更を少ない操作で簡単に行うことができる。
【図面の簡単な説明】
【００１３】
【図１】本実施形態によるナースコールシステムの全体構成例を示す図である。
【図２】本実施形態によるナースコール親機の機能構成例を示すブロック図である。
【図３】本実施形態において廊下灯の待機画面を変更する際にナースコール親機のディスプレイに表示される画面の遷移例を示す図である。
【図４】本実施形態によるナースコール親機の動作例を示すフローチャートである。
【発明を実施するための形態】
【００１４】
以下、本発明の一実施形態を図面に基づいて説明する。図１は、本実施形態によるナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１５】
図１に示すように、本実施形態によるナースコールシステムは、ナースコール親機１、制御機２、廊下灯３、壁埋込形子機４およびハンド形子機５を備えて構成されている。
【００１６】
ナースコール親機１は、患者（ナースコール子機）からの呼び出しに対する応答の操作または患者の呼び出しの操作を行うためのものであり、例えばナースセンタに設置される。ナースコール親機１は、この応答や呼び出しを行うためのハンドセット１ａ、種々の情報を表示するためのディスプレイ１ｂを備えている。ディスプレイ１ｂにはタッチパネルが付設されている。
【００１７】
また、本実施形態のナースコールシステムでは、ナースコール親機１のディスプレイ１ｂに表示される画面を通じてユーザがタッチパネルに対する操作を行うことにより、廊下灯３の待機画面を変更できるようになっている。なお、これについての詳細は後述する。
【００１８】
制御機２は、ナースコール親機１と廊下灯３との間に配置され、通話やデータの送受信に関する制御を行う。廊下灯３は、各病室の入口付近にそれぞれ設置されている。この廊下灯３はディスプレイ３ａを備え、ナースコール親機１から制御機２を介して送信されてくる種々の情報を表示できるようになっている。
【００１９】
なお、廊下灯３のディスプレイ３ａには、普段は所定の待機画面が表示されている。この待機画面は、ナースコール親機１から送信された画像を表示したものである。これに対し、病室内の患者が看護師の呼び出しを行うと、呼び出しを行った患者の氏名がディスプレイ３ａに表示され、呼び出しが行われたことが報知されるようになっている。
【００２０】
壁埋込形子機４は、病室の各ベッドサイドの壁に埋め込み設置される。この壁埋込形子機４は、廊下灯３に接続されている。ハンド形子機５は、壁埋込形子機４に接続される。以下では、壁埋込形子機４およびハンド形子機５をまとめてナースコール子機４，５と記す。
【００２１】
壁埋込形子機４は、患者が看護師を呼び出すための呼出ボタン、患者が呼び出されたときに応答するための復旧ボタン、患者が看護師と会話を行う際に使用するマイクおよびスピーカ、ハンド形子機５を接続するための接続端子を備えている。ハンド形子機５は、患者が看護師を呼び出すための呼出ボタン、患者が看護師と会話を行う際に使用するマイクおよびスピーカを備えている。
【００２２】
以上のように構成されたナースコールシステムは、患者が使用するナースコール子機４，５からの呼び出しに対し、ナースセンタに設置されたナースコール親機１、病室の外壁などに設置された廊下灯３、病室内のベッドサイドに設置された壁埋込形子機４で応答可能に成されている。
【００２３】
なお、特に図示はしていないが、携帯端末（例えば、ＰＨＳ端末）を用いた通話やデータの送受信に関する制御を行うハンディナースコール主装置、携帯端末との間で通話やデータの無線通信を行う無線基地局を更に設け、看護師が所持する携帯端末でも患者からの呼び出しに対して応答できるようにしてもよい。
【００２４】
図２は、本実施形態によるナースコール親機１の機能構成例を示すブロック図である。図２に示すように、本実施形態によるナースコール親機１は、患者情報記憶部１１、画像情報記憶部１２、通信インタフェース部２１、操作受付部２２、表示制御部２３および設定変更部２４を備えている。
【００２５】
なお、上記各機能ブロック２１〜２４は、ハードウェア構成、ＤＳＰ、ソフトウェアの何れによっても実現することが可能である。例えばソフトウェアによって実現する場合、上記各機能ブロック２１〜２４は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。
【００２６】
患者情報記憶部１１は、患者に関する情報（以下、患者情報という）を記憶する。本実施形態において患者情報は、患者の氏名、年齢、性別、症状、患者が入室している病室の部屋番号、患者が使用しているベッドを識別するベッド番号、患者を識別するための患者ＩＤ、使用するナースコール子機を識別するための子機ＩＤなどの各種情報を含む。
【００２７】
画像情報記憶部１２は、廊下灯３に待機画面として表示可能な複数の画像を記憶するとともに、どの病室の廊下灯３にどの画像を表示させるかの設定情報を記憶する。この設定情報は、例えば、病室の部屋番号と、その病室の廊下灯３に表示させる画像の識別情報（画像のファイル名など）とを関連付けて記憶したものである。
【００２８】
通信インタフェース部２１は、制御機２との間で通信を行うものである。図１に示したように、制御機２の先には廊下灯３が接続されている。したがって、通信インタフェース部２１は、ナースコール親機１から制御機２を介して廊下灯３にデータ（例えば、廊下灯３に待機画面として表示させる画像）を送信するものとして機能する。
【００２９】
表示制御部２３は、ナースコール親機１のディスプレイ１ｂに種々の情報を表示させるように制御するとともに、通信インタフェース部２１を介して廊下灯３に種々の情報を送信してディスプレイ３ａに表示させるように制御する。
【００３０】
例えば、表示制御部２３は、患者情報記憶部１１および画像情報記憶部１２を参照して、図３（ａ）に示すような運用画面をナースコール親機１のディスプレイ１ｂに表示させるように制御する。この運用画面は、各患者の氏名、症状、年齢などの情報を病室毎にレイアウトして表すとともに、病室毎に画像情報記憶部１２の設定情報により設定されている画像を設定済みサムネイル画像３１-1〜３１-6としてレイアウト上に表したベッド画面である。
【００３１】
操作受付部２２は、ナースコール親機１のディスプレイ１ｂに付設されているタッチパネルに対するユーザの操作を受け付ける。例えば、表示制御部２３の制御により、図３（ａ）のようなベッド画面がディスプレイ１ａに表示された状態で、操作受付部２２は、病室毎に表示された複数の設定済みサムネイル画像３１-1〜３１-6の中から任意の病室の設定済みサムネイル画像を選択する操作を受け付ける。この選択操作は、設定済みサムネイル画像３１-1〜３１-6の何れかをタッチする操作である。
【００３２】
表示制御部２３は、操作受付部２２が任意の設定済みサムネイル画像３１-1〜３１-6を選択する操作を受け付けたときに、図３（ｂ）に示すような表示データ選択画面をナースコール親機１のディスプレイ１ｂに表示させるように制御する。この表示データ選択画面は、画像情報記憶部１２に記憶されている複数の画像を選択用サムネイル画像３２-1〜３２-n（ｎは任意の整数）の一覧で表したものである。本実施形態では、図３（ａ）のベッド画面から図３（ｂ）の表示データ選択画面にダイレクトに表示画面を遷移させるようにしている。
【００３３】
また、操作受付部２２は、表示データ選択画面上で表示された複数の選択用サムネイル画像３２-1〜３２-nの中から任意の選択用サムネイル画像を選択する操作を受け付ける。この選択操作は、選択用サムネイル画像３２-1〜３２-nの何れかをタッチする操作である。
【００３４】
設定変更部２４は、操作受付部２２が選択用サムネイル画像３２-1〜３２-nを選択する操作を受け付けたときに、当該操作により選択された選択用サムネイル画像に対応する画像（画像情報記憶部１２に記憶されている）を、ベッド画面上でタッチ操作された設定済みサムネイル画像３１-1〜３１-6の何れかに対応する病室に関する廊下灯３の新たな表示用画像として設定し、画像情報記憶部１２に記憶されている設定情報を書き換える。
【００３５】
例えば、ベッド画面上で部屋番号８０１の設定済みサムネイル画像３１-1がタッチ操作されて表示データ選択画面に遷移し、そこで所望の選択用サムネイル画像がタッチ操作により選択されたとする。この場合、設定変更部２４は、当該タッチ操作により選択された選択用サムネイル画像に対応する画像を、部屋番号８０１の病室に関する廊下灯３の新たな表示用画像として設定し、画像情報記憶部１２に記憶されている部屋番号８０１に関する設定情報を書き換える。
【００３６】
また、操作受付部２２が選択用サムネイル画像３２-1〜３２-nの何れかを選択する操作を受け付けたときに、表示制御部２３は、ナースコール親機１のディスプレイ１ｂにおける表示を表示データ選択画面からベッド画面に遷移させる。このとき、表示制御部２３は、遷移させたベッド画面上において、操作受付部２２が設定済みサムネイル画像３１-1〜３１-6の選択操作を受け付けた病室について、設定変更部２４により設定された新たな表示用画像を設定済みサムネイル画像として表示させるように制御する。上述の例で言うと、表示制御部２３は、部屋番号８０１の設定済みサムネイル画像３１-1を、元の表示用画像から新たな表示用画像に変更して表示させるように制御する。
【００３７】
また、操作受付部２２が選択用サムネイル画像３２-1〜３２-nの何れかを選択する操作を受け付けたときに、表示制御部２３は通信インタフェース部２１を制御して、設定変更部２４により設定された新たな表示用画像を、操作受付部２２が設定済みサムネイル画像３１-1〜３１-6の選択操作を受け付けた病室の廊下灯３に送信して表示させることにより、廊下灯３の待機画面を変更する。上述の例で言うと、表示制御部２３は、設定変更部２４により新たに設定された表示用画像を部屋番号８０１の廊下灯３に送信して表示させることにより、部屋番号８０１の廊下灯３の待機画面を変更する。
【００３８】
図４は、上記のように構成したナースコール親機１の動作例を示すフローチャートである。なお、図４に示すフローチャートは、ナースコール親機１のディスプレイ１ｂにベッド画面が表示されたときに開始する。
【００３９】
まず、操作受付部２２は、ナースコール親機１のディスプレイ１ｂに表示されたベッド画面上で、設定済みサムネイル画像３１-1〜３１-6の何れかがタッチ操作されたか否かを判定する（ステップＳ１）。当該タッチ操作が行われていない場合、処理はステップＳ１の判定を繰り返す。一方、当該タッチ操作を操作受付部２２にて検出した場合、表示制御部２３は、表示データ選択画面をディスプレイ１ｂに表示させる（ステップＳ２）。
【００４０】
次に、操作受付部２２は、ディスプレイ１ｂに表示された表示データ選択画面上で、選択用サムネイル画像３２-1〜３２-nの何れかを選択するタッチ操作が行われたか否かを判定する（ステップＳ３）。当該タッチ操作が行われていない場合、処理はステップＳ３の判定を繰り返す。
【００４１】
一方、当該タッチ操作を操作受付部２２にて検出した場合、設定変更部２４は、当該タッチ操作により選択された選択用サムネイル画像に対応する画像を、ベッド画面上でタッチ操作された設定済みサムネイル画像に対応する病室に関する廊下灯３の新たな表示用画像として設定し、画像情報記憶部１２に記憶されている設定情報を書き換える（ステップＳ４）。
【００４２】
また、表示制御部２３は、表示データ選択画面に代えてベッド画面をナースコール親機１のディスプレイ１ｂに表示させる（ステップＳ５）。このとき、表示制御部２３は、遷移させたベッド画面上において、ステップＳ１でタッチ操作された設定済みサムネイル画像に対応する病室について、設定変更部２４により設定された新たな表示用画像を設定済みサムネイル画像として表示させるように制御する。
【００４３】
さらに、表示制御部２３は、通信インタフェース部２１を制御して、ステップＳ４で設定変更部２４により設定された新たな表示用画像を、ステップＳ１でベッド画面上においてタッチ操作された設定済みサムネイル画像に対応する病室の廊下灯３に送信して表示させることにより、廊下灯３の待機画面を変更する（ステップＳ６）。これにより、図４に示すフローチャートの処理は終了する。
【００４４】
以上詳しく説明したように、本実施形態では、ナースコール親機１のディスプレイ１ｂに運用画面として表示するベッド画面において、病室毎に廊下灯３の表示用画像を設定済みサムネイル画像３１-1〜３１-6として表示させる。そして、当該ベッド画面上において任意の病室の設定済みサムネイル画像を選択する操作が行われたときに、複数の選択用サムネイル画像３２-1〜３２-nを一覧で表した表示データ選択画面にベッド画面から遷移させるようにしている。
【００４５】
このように構成した本実施形態によれば、廊下灯３の待機画面をナースコール親機１の操作にて変更しようとする場合に、ナースコール親機１のベッド画面上において任意の病室の設定済みサムネイル画像を選択する操作を行うだけで、ベッド画面から表示データ選択画面にダイレクトに遷移させることができる。これにより、表示データ選択画面に辿り付くまでに階層メニューを辿って多くの操作をする必要がなく、廊下灯３の待機画面の変更を少ない操作で簡単に行うことができる。
【００４６】
また、従来のナースコールシステムでは、どの廊下灯３に何の画像が表示されているかについて、階層メニューを辿りながら多くの操作をして表示データ選択画面を開かなければ分からなかった。これに対して、本実施形態では、ナースコール親機１のディスプレイ１ｂに運用画面として常時表示されているベッド画面において、病室毎に設定済みサムネイル画像３１-1〜３１-6を表示させている。そのため、表示データ選択画面に遷移させる必要もなく、ベッド画面上でそのまま、どの廊下灯３に何の画像が表示されているかを確認することができる。これにより、例えばお見舞いに来た人に、「○○の絵が表示されている病室に行ってください」といった分かりやすい案内を行うことができる。
【００４７】
なお、上記実施形態では、表示データ選択画面において表示させる選択用サムネイル画像３２-1〜３２-nの内容については特に言及していないが、例えば、画像情報記憶部１２に記憶されている画像の全てを選択用サムネイル画像３２-1〜３２-nとして表示させるようにしてもよい。あるいは、画像情報記憶部１２に記憶されている画像のうち、各病室の廊下灯３に対して既に設定されている画像を除いた残りの画像を選択用サムネイル画像３２-1〜３２-nとして表示させるようにしてもよい。後者のようにすれば、ユーザは、他の廊下灯３と重複しない画像を簡単に選択することができる。
【００４８】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４９】
１  ナースコール親機
１ｂ  ナースコール親機のディスプレイ
３  廊下灯
３ａ  廊下灯のディスプレイ
１１  患者情報記憶部
１２  画像情報記憶部
２２  操作受付部
２３  表示制御部
２４  設定変更部
【図１】
0005898517.tif 000002
【図２】
0005898517.tif 000003
【図３】
0005898517.tif 000004
【図４】
0005898517.tif 000005